(57)【要約】【課題】物品収納室を換気させるとき、ベッドメイキング等のときには、床板の跳ね上げ量を小さくすることができる収納式跳ね上げベッド装置を提供する。【解決手段】ベッド装置は、物品出入口を有する物品収納室を形成するベッド本体１と、ベッド本体１に端部が跳ね上げ可能に設けられ、跳ね上げに伴い物品収納室の物品出入口を開放する床板３ともつ。跳ね上げた床板３の落下を抑制する床板落下抑制機構５が設けられている。床板落下抑制機構５は、跳ね上げた床板３の開放量を大きくする大開放位置に床板３を維持する大開放用の落下抑制部と、跳ね上げた床板３の開放量を大開放位置よりも小さい小開放位置に床板３を維持する小開放用の落下抑制部とをもつ。【選択図】図１
2008173400.tif 000002
【特許請求の範囲】
【請求項１】
上面に物品出入口を有する物品収納室を形成するベッド本体と、      
寝具を載置する載置面をもち、前記ベッド本体に端部が跳ね上げ可能に設けられ、跳ね上げに伴い前記物品収納室の前記物品出入口を開放する床板とを具備しており、
前記物品出入口を開放するように跳ね上げた前記床板の落下を抑制する床板落下抑制機構が前記ベッド本体と前記床板との間に設けられており、
前記床板落下抑制機構は、跳ね上げた前記床板の開放量を大きくする大開放位置に前記床板を維持する大開放用の落下抑制部と、跳ね上げた前記床板の開放量を前記大開放位置よりも小さい小開放位置に前記床板を維持する小開放用の落下抑制部とを備えていることを特徴とする収納式跳ね上げベッド装置。
【請求項２】
請求項１において、前記床板落下抑制機構は、前記床板の跳ね上がりおよび下降に連動して移動可能な係合部を備えており、
前記大開放用の落下抑制部は、前記床板の跳ね上がりおよび下降に連動して移動する前記係合部に係脱可能に係合する大開放用の凹状をなす被係合部であり、且つ、
前記小開放用の落下抑制部は、前記床板の跳ね上がりおよび下降に連動して移動する前記係合部に係脱可能に係合すると共に前記大開放用の被係合部に対して異なる位置に設けられた小開放用の凹状をなす被係合部であることを特徴とする収納式跳ね上げベッド装置。
【請求項３】
請求項２において、前記床板落下抑制機構は、前記床板のうち揺動半径が小さな領域に設けられており、前記床板の跳ね上がりおよび下降に連動して揺動可能であり前記係合部をもつ第１アームと、前記床板の跳ね上がりおよび下降に連動して揺動可能な第２アームと、前記床板の跳ね上がりに伴い上方に揺動し前記大開放用の被係合部および前記小開放用の被係合部をもつ係合アームとを備えていることを特徴とする収納式跳ね上げベッド装置。
【請求項４】
請求項１または２において、前記床板の急激な開閉動作を抑制する開閉速度抑制機構が前記ベッド本体および前記床板のうちの少なくとも一方に設けられていることを特徴とする収納式跳ね上げベッド装置。
【請求項５】
請求項１〜４のうちの一項において、前記床板が前記物品出入口を閉鎖しているとき前記床板を前記ベッド本体にロックさせるロック装置が設けられており、前記ロック装置は、前記ロック装置によるロックを解除するために操作される解除操作子を備えており、前記解除操作子は、前記床板側に位置していることを特徴とする収納式跳ね上げベッド装置。
【請求項６】
請求項１〜５のうちの一項において、前記ベッド本体は前記ベッド本体を補強する長手補強成形品を備えており、前記長手補強成形品は、金属または硬質樹脂の素材を前記ベッド本体の長さ方向に沿って押出成形、引抜成形または圧延成形して形成された成形品、あるいは、前記ベッド本体の長さ方向に沿って延設されたパイプ体を溶接した成形品を用いて形成されていることを特徴とする収納式跳ね上げベッド装置。
【請求項７】
請求項６において、前記長手補強成形品は、長さ方向に沿って連続的に延設された軽量化のための凹状部を備えており、前記凹状部は、前記長手補強成形品の長さ方向に沿って延設された中空室であり、前記中空室は、薬剤収納空間、電気機器の配線通路、温調風が通過する温調風通路のうちの少なくとも一つとして機能することを特徴とする収納式跳ね上げベッド装置。
【発明の詳細な説明】
【技術分野】
【０００１】
本発明は、マットレス等の寝具を載せる床板を跳ね上げることにより、床板の下方に配置された物品収納室の物品出入口を開放する収納式跳ね上げベッド装置に関する。
【背景技術】
【０００２】
物品収納室を有する収納式跳ね上げベッド装置が提供されている。このようなベッド装置として、上面に物品出入口を有する物品収納室を形成するベッド本体と、揺動によりベッド本体に跳ね上げ可能に設けられ跳ね上げに伴い物品収納室の物品出入口を開放する床板とを備えているものが知られている（特許文献１，２，３）。物品収納室は床板の下方に配置されている。床板は、マットレスを載置する載置面をもつ。更に特許文献２には、床板が物品出入口を閉鎖しているときにおいて床板をベッド本体にロックさせるロック装置が設けられている。
【特許文献１】特開２００６−９５２２１号公報
【特許文献２】特開２００６−３２０５５３号公報
【特許文献２】特開２０００−１７５７７５号公報
【発明の開示】
【発明が解決しようとする課題】
【０００３】
上記したベッド装置によれば、床板の端部を跳ね上げて物品出入口を開放させ、ベッド装置の内部に形成されている物品収納室に対して物品を出し入れできる利点が得られる。このベッド装置によれば、サイズの大きな物品の良好な出し入れ性を確保するため、床板の跳ね上げ量をかなり大きく設定し、床板の開放量をかなり大きく設定している。この場合、サイズの大きな物品の出し入れには有利であるものの、物品収納室を換気させるとき等のように、物品収納室に物品を出し入れしないときであっても、床板の跳ね上げ量を大きくし、床板の開放量を大きくしなければならず、不便である。
【０００４】
本発明は上記した実情に鑑みてなされたものであり、物品収納室を換気させるとき、更にはベッドメイキング等のときには、床板の跳ね上げ量を小さくすることができる収納式跳ね上げベッド装置を提供することを課題とする。
【課題を解決するための手段】
【０００５】
（１）様相１に係る収納式跳ね上げベッド装置は、（ｉ）上面に物品出入口を有する物品収納室を形成するベッド本体と、（ｉｉ）寝具を載置する載置面をもち、ベッド本体に端部が跳ね上げ可能に設けられ、跳ね上げに伴い物品収納室の物品出入口を開放する床板とを具備しており、（ｉｉｉ）物品出入口を開放するように跳ね上げた床板の落下を抑制する床板落下抑制機構がベッド本体と床板との間に設けられており、（ｉｖ）床板落下抑制機構は、跳ね上げた床板の開放量を大きくする大開放位置に床板を維持する大開放用の落下抑制部と、跳ね上げた床板の開放量を大開放位置よりも小さい小開放位置に床板を維持する小開放用の落下抑制部とを備えていることを特徴とする。サイズの大きな物品を出し入れするときには、大開放用の落下抑制部を利用し、床板の跳ね上げ量を大きく設定し、床板の開放量を大きく設定する。この場合、サイズの大きな物品の出し入れ作業には有利である。これに対して、物品収納室を換気させるとき、ベッドメイキングするとき等のように、床板の大きな跳ね上げ量が必要とされないときには、小開放用の落下抑制部を利用し、床板の跳ね上げ量を小さくし、床板の開放量を小さくする。ここで、大開放位置としては、一つの開放位置でも良いし、複数の開放位置でも良く、要するに小開放位置よりも開放量が大きければ良い。小開放位置としては、一つの開放位置でも良いし、複数の開放位置でも良く、要するに大開放位置よりも開放量が小さければ良い。
【０００６】
床板落下抑制機構は、床板の跳ね上がりおよび下降に連動して移動可能な係合部を備えていることが好ましい。この場合、大開放用の落下抑制部は、床板の跳ね上がりおよび下降に連動して移動する係合部に係脱可能に係合する大開放用の凹状をなす被係合部であることが好ましい。小開放用の落下抑制部は、床板の跳ね上がりおよび下降に連動して移動する係合部に係脱可能に係合すると共に大開放用の被係合部に対して異なる位置に設けられた小開放用の凹状をなす被係合部であることが好ましい。ここで、床板落下抑制機構は、床板のうち揺動半径が小さな領域に設けられていることが好ましい。床板落下抑制機構は、床板の跳ね上がりおよび下降に連動して揺動可能であり係合部をもつ第１アームと、床板の跳ね上がりおよび下降に連動して揺動可能な第２アームと、床板の跳ね上がりに伴い上方に揺動し大開放用の被係合部および小開放用の被係合部をもつ係合アームとを備えていることが好ましい。また、床板の急激な開閉動作を抑制する開閉速度抑制機構がベッド本体および床板のうちの少なくとも一方に設けられていることが好ましい。ベッド本体は、床板の下方に物品出入口を有する物品収納室を形成する。床板は、マッレス等の寝具を載置する載置面をもち、ベッド本体に端部が跳ね上げ可能に設けられている。床板は、跳ね上げに伴い、物品収納室の物品出入口を開放する。跳ね上げとは、床板のうちの少なくとも端部を上方に移動させることを意味する。端部とは、フットボード側でもヘッドボード側でも側面ボード側でも良い。
【発明の効果】
【０００７】
本発明によれば、サイズの大きな物品を物品収納室に対して出し入れすることができる。更に床板の跳ね上げ量を小さくすることもでき、物品収納室の換気、ベッドメイキング等に適する。
【発明を実施するための最良の形態】
【０００８】
発明を実施するための最良の形態について各実施例に従って説明する。
【実施例１】
【０００９】
図１は、ベッド装置の内部に収納機能を有する収納式跳ね上げベッド装置の平面視を示す。図２は当該ベッド装置の側面ボード１０付近の断面を示す。高さ方向をＨＷとして示す。図３は側面ボード１０の要部である長手補強成形品１２を長手方向に沿って切断した断面図を示す。図４〜図６は当該ベッド装置を横断する方向の断面（仮想線ＰＫはベッド装置の中心線を示す）を示す。ベッド装置は、基体となるベッド本体１と、使用者が就寝する寝具として機能するマットレスを載せる載置面としての上面３１をもつ床板３とを備えている。
【００１０】
図１に示すように、ベッド本体１は、ベッド装置において就寝するベッド本体１の長さ方向に沿って配置された２個の側面ボード１０と、ベッド本体１の長さ方向における両端側に配置された端ボード１５とを備えている。端ボード１５は、使用者の頭側に位置するヘッドボード１６と、使用者の脚側に位置すると共にヘッドボード１６に対面するフットボード１７とを有する。フットボード１７は内側に副ボード１７ａを有する。ベッド本体１は、上面に開口された物品出入口２０を有する空間状の物品収納室２を備えている。物品収納室２の幅はＬＢ，ＬＣとして示される（図１参照）。物品収納室２の高さはＨ１として示される（図２参照）。なお、ヘッドボード１６およびフットボード１７の母材は特に限定されず、木でも良いし、金属でも、硬質樹脂でも良い。
【００１１】
図２に示すように、ベッド本体１の側面ボード１０は、床板３を載せて保持すると共にベッド本体１の長さ方向に沿って延設された床板載置体として機能する長手補強成形品１２と、長手補強成形品１２の外面に接着剤または螺子止め等の固定手段により接合された板状をなす意匠性を高める化粧部材１４とをもつ。化粧部材１４は木材または樹脂で形成されている。場合によっては、長手補強成形品１２の外面に意匠を施したときには、化粧部材１４を廃止しても良い。長手補強成形品１２は、アルミニウム合金、鉄合金、チタン合金、マグネシウム合金等の金属の素材を、使用者（ベッド装置に就寝する使用者）の身長方向（ベッド装置の長さ方向）に沿って押出ダイスまたは引抜ダイスにより、所定の断面形状をもつように連続的に押出成形または引抜成形して形成されている。図２に示すように、長手補強成形品１２は、凹状部としての中空室１２１をもつ主載置部１２２と、主載置部１２２に繋がる縦柱部１２４と、縦柱部１２４の下端部に繋がる板状をなす副載置部１２６とを備えている。副載置部１２６は主載置部１２２の下方において主載置部１２２と平行に配置されている。縦柱部１２４は上端面１２４ｃと下端面１２４ｄとをもつ。長手補強成形品１２は長さ方向に沿って連続的に延びる中空室１２１をもつため、曲げ剛性を高めつつ軽量化を図ることができる。長手補強成形品１２は、後加工されていない限り、長さ方向に沿って基本的には同一断面形状を有する。中空室１２１は断面四角形状とされているが、これに限らず、断面で楕円または円の形状でも良い。図２に示すように、床板３はベッド本体１に保持された平板状をなしている。このような床板３は、寝具として機能するマットレスＭＡを載置する平坦な載置面としての上面３１と、上面３１に背向する平坦な下面３３とをもつ。
【００１２】
図２に示すように、長手補強成形品１２において、主載置部１２２および副載置部１２６は、物品収納室２に向けてほぼ水平方向に突出している。副載置部１２６は、物品収納室２の底壁を形成する底板１９を載せて保持するためのものである。長手補強成形品１２は床板３をのせたり、後述の床板落下抑制機構５を取り付けたりするため、強化が特に要請されている。そこで主載置部１２２は中空長箱形状をなしており、床板３を載せる床板載置面１２７ｍをもつほぼ水平方向に沿った上壁部１２７と、上壁部１２７に対面するようにほぼ水平方向に沿った下壁部１２８と、上壁部１２７の内端部および下壁部１２８の内端部を繋ぐようにほぼ垂直方向に沿った内壁部１２９とを備えている。これにより中空室１２１を形成しつつ、主載置部１２２の曲げ剛性および強度が強化されている。なお、長手補強成形品１２は長さ方向に沿って押出成形または引抜成形して形成されているため、金属組織の流線がベッド本体１の長さ方向つまりベッド本体１の長さ方向に沿って延設されており、曲げ剛性の強化に有利である。図１に示すように、長手補強成形品１２の長さ方向の一端部１２ｅは、断面Ｌ字形状の取付具１２ｗを介してフットボード１７の副ボード１７ａに連結されて固定されている。長手補強成形品１２の長さ方向の他端部１２ｆは、断面Ｌ字形状の取付具１２ｒを介してヘッドボード１６に連結されて固定されている。従って長手補強成形品１２はベッド本体１のほぼ全長にわたり延設されている。
【００１３】
図１に示すように、床板３は、ベッド本体１の長さ方向に沿って延設され互いに対向する一対の長辺部３５と、使用者の幅方向に沿って延設され互いに対向する一対の短辺部３６（長辺部３５よりも長さが短い辺）とを備えている。図１（平面視）に示すように、床板３が物品収納室２の物品出入口２０を閉鎖しているとき、床板３の外縁３ｋとベッド本体１の内縁１ｉとの間には、隙間４が形成されている。床板３が閉じているとき、隙間４は床板３の全周を１周するように形成されている。即ち、図１に示すように、床板３の長辺部３５の外縁３ｋは、ベッド本体１の側面ボード１０の内縁１ｉよりも内方に位置している。更に、床板３の短辺部３６の外縁３ｋは、ベッド本体１の端ボード１５の内縁１ｉよりも内方に位置している。この結果、床板３の外縁３ｋとベッド本体１の内縁１ｉとの間には、隙間４が形成されている。即ち図１に示すように、床板３の長辺部３５の外縁３ｋとベッド本体１の側面ボード１０の内縁１ｉとの間には、隙間幅ｔ１をもつ直状の長辺隙間４ａが形成されている。更に、床板３の短辺部３６の外縁３ｋとベッド本体１の端ボード１５の内縁１ｉとの間には、隙間幅ｔ２をもつ直状の短辺隙間４ｃが形成されている。隙間幅ｔ１，隙間幅ｔ２は、隙間４の隙間幅ｔ１，ｔ２は、人の指を挿入できないほどの狭い隙間幅（例えば８ミリメートル以下、５ミリメートル以下）に設定されているか、あるいは、指の厚みよりもかなり広い隙間幅（例えば２５ミリメートル以上、３０ミリメートル以上）に設定されている。このため床板３を開閉させるとき、人の指等が床板３の外縁３ｋとベッド装置の内縁１ｉとの間に挟まることが防止される。なお、床板３の母材は木材でも、金属でも、硬質樹脂でも良い。床板３はベッド本体１に跳ね上げ可能に設けられている。即ち、床板３のうち長さ方向の一端部側（ヘッドボード１６側）を、揺動量が小さいかあるいは無い揺動中心域３ｃとしている。且つ、床板３のうち長さ方向の他端部（フットボード１７側）を、揺動中心域３ｃよりも揺動量が大きな揺動端３ｈ（端部）としている。このように床板３の揺動端３ｈは揺動可能に上昇して跳ね上げられたり、または、下降する。床板３の跳ね上げに伴い、物品収納室２の物品出入口２０が開放されるため、物品を物品出入口２０から物品収納室２に収納できる。床板３の下降に伴い、物品収納室２の物品出入口２０が床板３で閉鎖される。
【００１４】
上記した長手補強成形品１２は金属の押出成形品または引抜成形品であり、高い曲げ剛性および高い強度を有しており、ベッド装置の側面ボード１０の長さ方向に沿って延設されている。従ってベッド装置の側面ボード１０の曲げ剛性および強度は強化されている。故に、物品収納室２をベッド装置の長さ方向の中間位置に補強用架橋ビームを設けずとも良い。故に、空間状の物品収納室２の長さは、ＬＡ（図１参照）として示され、ベッド装置の長さにほぼ対応するように長く設定されている。物品収納室２の幅は最長部でＬＢ（図１参照）として示され、物品収納室２の幅は最短部でＬＣ（図１参照）として示され、ベッド装置の幅寸法にほぼ対応する。この結果、スキー板等のように長さが長い物品を物品収納室２に収納することができる。しかも、スキー板等のように長さが長い物品を複数個ぶん並設させた状態で、物品収納室２に収納することができる利点が得られる。図１に示すように、ベッド本体１の物品収納室２には、隔壁１０ｐおよび隔壁１０ｖが物品収納室２に対面するように配置されている。隔壁１０ｐはベッド装置の長さ方向に沿って延設されている。隔壁１０ｖは隔壁１０ｐに連続し、ベッド装置の幅方向に沿って延設されている。隔壁１０ｐおよび隔壁１０ｖにより、物品収納室２に収納されている物品が床板落下抑制機構５に干渉したり接触したりすることが防止されている。この場合、床板落下抑制機構５や物品の損傷回避に有利である。
【００１５】
図７〜図９に示すように、跳ね上げられた床板３の落下を抑制する床板落下抑制機構５が設けられている。床板落下抑制機構５は、ベッド本体１と床板３との間に設けられている。具体的には、床板落下抑制機構５は、主として床板３の上昇量が相対的に少ないときにおいて床板３の急激な落下を抑える第１開閉速度抑制機構５１と、主として床板３の上昇量が相対的に多いときにおいて床板３の急激な落下を抑える第２開閉速度抑制機構５２と、床板３の開放姿勢（小開口位置および大開口位置）を２段階の定位置に固定的にラッチ保持する第３床板落下抑制機構５３とを有する。第１開閉速度抑制機構５１は、ダンパ機能をもつ第１ダンパシリンダ５５と、第１ダンパシリンダ５５の作動に連動する第１作動アーム５９とを有する。第１作動アーム５９の一端部５９ｅは、長手補強成形品１２の主載置部１２２にピン５９ｍを介して揺動可能に枢支されている。これにより第１作動アーム５９は上方向（矢印Ｙ１方向）および下方向（矢印Ｙ２方向）に揺動可能とされている。第１作動アーム５９の他端部５９ｆは、床板３の下面３３を載せる転動体としての転動ローラ５９ｒをもつ。第１ダンパシリンダ５５は、第１筒体５６と、第１筒体５６に長さ方向に沿ってスライド可能に嵌合された第１ピストンロッド５７とをもつ。第１筒体５６は、第１作動アーム５９の長さ方向の中間域にピン５９ｐにより上下方向に揺動可能に枢支されている。第１ピストンロッド５７は、長手補強成形品１２に溶接等の固定手段で固定された補強部材１２０ａにピン５７ｐにより揺動可能に枢支されている。
【００１６】
図１０は第１ダンパシリンダ５５の内部構造を示す。図１０に示すように、第１筒体５６は、第１シリンダ室５６１と、第１シリンダ室５６１を閉じる第１蓋部５６２とを有する。第１ピストンロッド５７は、第１シリンダ室５６１を移動可能な第１ピストン５７１と、第１ピストン５７１と第１筒体５６との間をシールするリング状の第１シール部５７３とをもつ。第１ピストン５７１は、第１筒体５６の第１シリンダ室５６１を第１往路室５６５および第１復路室５６７に仕切ると共に、第１往路室５６５および第１復路室５６７を連通するオリフィス状をなす絞り機能をもつ第１絞り通路５６８とを有する。第１往路室５６５の容積が減少する方向に第１筒体５６に荷重Ｆ１（床板３が開閉するときの荷重）が作用すると、第１往路室５６５の流体（例えばガスまたはオイル）が流過抵抗を伴って第１絞り通路５６８を介して第１復路室５６７に流入して第１復路室５６７の容積を増加させる。また、第１往路室５６５の容積が増加する方向に第１筒体５６に荷重Ｆ２（床板３が開閉するときの荷重）が作用すると、第１復路室５６７の流体（例えばガスまたはオイル）が第１絞り通路５６８を介して第１往路室５６５に流入して第１往路室５６５の容積を増加させると共に第１復路室５６７の容積を減少させる。
【００１７】
図８に示すように、第２床板落下抑制機構５２はダンパ機能をもつ第２ダンパシリンダ６５を有する。第２ダンパシリンダ６５は第１ダンパシリンダ５５と基本的には共通の構造および共通の作用効果を有する。即ち、第２ダンパシリンダ６５は、第２筒体６６と、第２筒体６６に嵌合された第２ピストンロッド６７とをもつ。第２筒体６６は、床板３の下面３３に設けられた第１連結部材５３５にピン６６ｐにより上下方向に揺動可能に枢支されている。第２ピストンロッド６７の下端部は、長手補強成形品１２に溶接等の固定手段で固定された補強部材１２０ｃにピン６７ｐにより上下方向に揺動可能に枢支されている。図１０は第２ダンパシリンダ６５の内部構造を示す。図１０に示すように、第２筒体６６は、第２シリンダ室６６１と、第２シリンダ室６６１を閉じる第２蓋部６６２とを有する。第２ピストンロッド６７は、第２シリンダ室６６１を移動可能な第２ピストン６７１と、第２ピストン６７１と第２筒体６６との間をシールするリング状の第２シール部６７３とをもつ。第２ピストン６７１は、第２筒体６６の第２シリンダ室６６１を第２往路室６６５および第２復路室６６７に仕切ると共に、第２往路室６６５および第２復路室６６７を連通するオリフィス状をなす絞り機能をもつ第２絞り通路６６８とを有する。本実施例によれば、上記した荷重Ｆ１，Ｆ２に対して第１ダンパシリンダ５５および第２ダンパシリンダ６５は、流体の流過抵抗に起因するダンパ機能を発揮することができる。故に、第１筒体５６に対する第１ピストンロッド５７の急激な動作が抑制される。また第２筒体６６に対する第２ピストンロッド６７の急激な動作が抑制される。この結果、床板３の開閉速度が抑制され、床板３は低速度で開閉することになり、安全性が高められている。さらに床板３の急激な落下も抑制される。
【００１８】
図１３（Ａ）（Ｂ）（Ｃ）はラッチ機能を有する第３床板落下抑制機構５３の作動を示す。図１３に示すように、第３床板落下抑制機構５３は、係合部としての係合ピン５３１ａをもつ第１アーム５３１と、第２アーム５３２と、第２連結部材５３３と、第３連結部材５３４と、係合アーム５３８とを備えている。図１３に示すように、第３連結部材５３４は床板３の下面側に固定されている。第２連結部材５３３は、長手成形品１２の下面側に固定された固定腕５３３ｘを介して固定されている。第３連結部材５３４は第２連結部材５３３の上側において床板３の下面側に螺子または溶接などの固定手段で固定されている。第１アーム５３１の下端部は第２連結部材５３３にピン５３１ｐにより上下方向に揺動可能に枢支されている。第１アーム５３１の上端部は第３連結部材５３４にピン５３１ｗにより上下方向に揺動可能に枢支されている。第２アーム５３２の下端部は第２連結部材５３３にピン５３２ｐにより揺動可能に枢支されている。第２アーム５３２の上端部は第３連結部材５３４にピン５３２ｗにより揺動可能に枢支されている。係合アーム５３８の一端部がピン５３８ｐにより第２連結部材５３３に上下方向に揺動可能に枢支されている。図１３に示すように、係合アーム５３８の揺動側の他端部には凹状の第１被係合部５３８ａ（大開放用の落下抑制部）および第２被係合部５３８ｃ（小開放用の落下抑制部）が形成されている。なお、ラッチ爪５５１ｘは係合アーム５３８に保持されている。ラッチ爪５５２ｘは係合アーム５３８に保持されている。
【００１９】
このような第３床板落下抑制機構５３は、床板３の開放角度を大開口（図９に示す開放量Ｗ２）および小開口（図８に示す開放量Ｗ１）の二段階に保持できるラッチ機能をもつ。即ち、図１３（Ａ）は床板３が物品収容室２を閉鎖している状態を示す。図１３（Ｂ）は床板３が小開口（開放量Ｗ１）にラッチ保持されている状態を示す。図１３（Ｃ）は床板３が大開口（開放量Ｗ２）にラッチ保持されている状態を示す。図１３（Ａ）において、係合アーム５３８は主要の図略のバネにより上向きに常時付勢されているが、床板３の荷重を受ける第１アーム５３１の係合ピン５３１ａにより係合アーム５３８は下方に押さえつけられて拘束されているため、係合アーム５３８は上方に回動できない。図１３（Ａ）に示すように床板３が下降して閉鎖されている状態において、使用者が手指等で床板３を矢印Ｙ１方向に持ち上げると、図１３（Ｂ）に示すように係合ピン５３１ａと共に第１アーム５３１がピン５３１ｐを中心として矢印Ｒ１０方向に回動して持ち上がる。すると、図略のバネで上向きに付勢されている係合アーム５３８がピン５３８ｐを中心として矢印Ｒ２０方向に自動的に回動して持ち上がり、係合ピン５３１ａが溝状の第１被係合部５３８ａおよびラッチ爪５５１ｘにラッチ係合する。このようなラッチ係合状態では、床板３の重力による下降は制限され、使用者は手指等で床板３を支持していなくても、床板３は小開口状態に維持される。更に床板３の上昇はラッチ爪５５１ｘにより規制される。
【００２０】
更に図１３（Ｂ）に示す状態において使用者が床板３を矢印Ｙ１方向に持ち上げると、図１３（Ｃ）に示すように係合ピン５３１ａと共に第１アーム５３１がピン５３１ｐを中心として矢印Ｒ１０方向に更に回動して持ち上がる。すると、図略のバネで付勢されている係合アーム５３８がピン５３８ｐを中心として矢印Ｒ２０方向に自動的に更に回動しつつ持ち上がり、係合ピン５３１ａが溝状の第２被係合部５３８ｃおよびラッチ爪５５２ｘにラッチ係合する。このようなラッチ係合状態では、床板３の重力による下降は制限され、使用者は手指等で床板３を支持していなくても、床板３は大開口（図９に示す開放量Ｗ２）に維持される。更に床板３の上昇はラッチ爪５５２ｘにより規制される。図１３（Ｃ）に示すように床板３が大開口状態に維持されている状態において、床板３を下降させるには次のようにする。即ち、使用者が床板３を矢印Ｙ１方向に少し持ち上げると、第１アーム５３１が連動して係合ピン５３１ａが少し持ち上がるため、係合ピン５３１ａが溝状の第２被係合部５３８ｃおよびラッチ爪５５２ｘから離脱する。このとき使用者が床板３を矢印Ｙ２方向に持ち下げると、第１アーム５３１が下降し係合ピン５３１ａはラッチ５５２ｘを乗り越えて下降する。更に、使用者が床板３を矢印Ｙ２方向に持ち下げると、床板３の重力により第１アーム５３１は下降し、係合ピン５３１ａはラッチ５５１ｘを乗り越えて矢印Ｙ２方向に下降するため、図１３（Ａ）に示すように第１アーム５３１および係合アーム５３８が横に寝る。このようにして第３床板落下抑制機構５３は、床板３の開放角度を二段階に固定的に保持できるラッチ機能を発揮する。
【００２１】
本実施例によれば、図８、図９に示すように、床板３の上昇側の端部である揺動端３ｈ側（フットボード１７側）には、使用者の指が操作する手動操作部３８が設けられている。手動操作部３８は、床板３の上面３１のうち揺動端３ｈ側（フットボード１７側）に取り付けられた上ハンドル３８Ｕ（跳ね上げ用の手動操作部）と、床板３の下面３３のうち揺動端３ｈ側（フットボード１７側）に取り付けられた下ハンドル３８Ｄ（下降用の手動操作部）とで形成されている。上ハンドル３８Ｕおよび下ハンドル３８Ｄの連続操作性を考慮して、上ハンドル３８Ｕおよび下ハンドル３８Ｄは、床板３の揺動端３ｈを介して互いに背向するように形成されている。下ハンドル３８Ｄは床板３の揺動端３ｈの下面３３から下方に突出しているため、跳ね上げた床板３の高さが高いとき、小柄な使用者であっても、床板３を下降操作させるのに有利となる。床板３が水平状態されて物品収納室２の物品出入口２０を閉鎖している状態において、床板３を上方（矢印Ｙ１方向）に跳ね上げるとき、使用者は指で床板３の上面３１の上ハンドル３８Ｕを操作して床板３の揺動端３ｈ側を持ち上げて、床板３の揺動端３ｈを跳ね上げて開放させることができる。これにより床板３の揺動端３ｈが上昇し、物品収納室２の物品出入口２０の開放量が増加する（図８，図９参照）。従って上ハンドル３８Ｕは、床板３の揺動端３ｈを手動により上昇させる跳ね上げ用の手動操作部として機能することができる。
【００２２】
これに対して床板３が跳ね上げられて物品収納室２の物品出入口２０を開放している状態において、床板３を下方（矢印Ｙ２方向）に下降させるとき、一般的には、使用者は床板３の下面３３の下ハンドル３８Ｄを指で操作して床板３の揺動端３ｈ側を持ち下げて、床板３の揺動端３ｈを閉鎖方向に下降させることができる。この結果、床板３が水平状態にされて物品収納室２の物品出入口２０を閉鎖させることができる。下ハンドル３８Ｄにより床板３の下降作業が楽になる。下ハンドル３８Ｄは、跳ね上げた床板３の揺動端３ｈを手動により下降させる下降用の手動操作部として機能することができる。このように床板３を上下方向に昇降させるとき、前述したように、第１ダンパシリンダ５５では、第１絞り通路５６８を介して流体（例えばガスまたはオイル）が流過抵抗を発生させつつ、第１往路室５６５および第１復路室５６７を往来する。このため、矢印Ｙ１方向に跳ね上げた床板３の急激な落下が抑制され、安全性が高められている。第２ダンパシリンダ６５においても同様に、第２絞り通路６６８を介して流体が流過抵抗を発生させつつ、第２往路室６６５および第２復路室６６７を往来するため、床板３の急激な開閉が抑制され、安全性が高められている。
【００２３】
図１２は比較例を示す。図１２に示すように、床板３Ｘが物品収納室２Ｘの物品出入口２０Ｘを閉鎖しているとき、床板３Ｘの外縁３００Ｘがベッド本体１Ｘの外縁１００Ｘよりも外方に突出している。このため、物品収納室２Ｘに物品を出し入れするために床板３Ｘを矢印Ｙ１方向に跳ね上げるとき、または、跳ね上げた床板３Ｘを下降させるとき、跳ね上げられる床板３Ｘの外縁３００Ｘが、ベッド装置の近傍に存在する他の物体（例えば隣設するベッド装置、壁等ＷＸ）に接触して擦れるおそれがある。この場合、床板３Ｘの外縁３００Ｘの擦れ損傷を招くおそれがある。殊に図１２に示すように、床板３Ｘを有する複数のベッド装置を接近状態に並設させてツインタイプに設置した場合には、床板３Ｘが跳ね上げられるとき、一方の収納式跳ね上げベッド装置の床板３Ｘの外縁３００Ｘが、隣設する他方の収納式跳ね上げベッド装置の床板３Ｘの外縁３００Ｘに擦れるおそれが高くなる。この場合、跳ね上げられる床板３Ｘの擦れ損傷等の損傷を招くおそれがある。
【００２４】
図１１は、本実施例に係る複数のベッド装置を接近して並設している形態を示す。図１１に示すように、床板３が物品収納室２の物品出入口２０を閉鎖しているとき、床板３の外縁３ｋは、ベッド本体１の内縁１ｉよりも内方に位置している。そして床板３が閉鎖されているとき、床板３の外縁３ｋとベッド本体１の内縁１ｉとの間には、床板３の全周を１周する枠リング状をなす隙間４が形成されている。このため床板３が矢印Ｙ１方向に上昇したり、床板３が矢印Ｙ２方向に下降したりするときであっても、各ベッド装置の床板３の外縁３ｋはベッド本体１の内縁１ｉに擦れることが防止されている。更に、床板３の外縁３ｋは他の物体（例えば壁ＷＸ）に擦れることが防止されている。故に、床板３の外縁３ｋの擦れ損傷が防止されている。殊に図１１に示すように、複数のベッド装置が接近状態で並設されているときであっても、ベッド装置が他の物体としての壁ＷＸに接近状態で設けられているときであっても、一方のベッド装置の昇降する床板３が他方のベッド装置のベッド本体１、壁ＷＸに擦れることが防止されている。このため床板３、床板３を昇降可能に保持するベッド本体１、床板落下抑制機構５に無理な負荷が作用することが防止されている。よって、床板３やベッド本体１や床板落下抑制機構５の損傷回避に貢献できる。
【００２５】
図１５に示すように、マットレスＭＡは弾性変形できるため、マットレスＭＡの端部ＭＡ１３の下方に上ハンドル３８Ｕが存在しても支障がない。但し、上ハンドル３８Ｕが干渉しない位置に、マットレスＭＡの端部ＭＡ１３’を配置することもできる。なお上ハンドル３８Ｕを上面３１上に寝るように折り畳み構造としても良い。図１５に示すように、ベッド本体１のうちフットボード１７側には、被ロック体７が固定されている。被ロック体７は、水平面状に沿った被ロック面７１と、重力方向に沿って傾斜している傾斜面で形成された被ガイド面７２とをもつ。床板３のうち揺動端３ｈ側にはロック装置８が設けられている。ロック装置８は、床板３が物品収納室２の物品出入口２０を閉鎖している状態（図１５参照）に、床板３をベッド本体１にロックさせるものである。ロック装置８は床板３の揺動端３ｈ側に取り付けられている。特に、図１に示すように、手動操作性を考慮してロック装置８は、床板３の揺動端３ｈ側において、上ハンドル３８Ｕの下方に位置して、床板３の幅方向（矢印ＤＥ方向）の中間域に取り付けられている。図１６に示すように、ロック装置８は、床板３の内部に形成された凹部３８０内に窓開口３８ｔに対面するように配置された回動式の解除操作子８０と、解除操作子８０の回転によりロック解除されるロック体８２と、ロック体８２を前進後退可能に保持する固定基部８７とをもつ。ロック体８２の先端部は、水平面状に沿ったロック面８３と、重力方向に沿って傾斜している傾斜面で形成されたガイド面８４とをもつ。図１６に示すように、凹部３８０内の解除操作子８０および凹部３８０外方の上ハンドル３８Ｕは、窓開口３８ｔを介して互いに対面している。このため上ハンドル３８Ｕを手指で操作するとき、解除操作子８０の操作状況を確認できる利点が得られる。更に上ハンドル３８Ｕおよび解除操作子８０の連続操作性が確保される。
【００２６】
図１７に示すように、解除操作子８０はピニオン状の第１歯部８１を備えている。ロック体８２は、ガイド８２ｍにスライド可能に設けられており、第１歯部８１と噛合可能なラック状の第２歯部８５をもつ。ロック体８２は、付勢要素としての付勢バネ８６によりロック方向（矢印Ｅ１方向）に常時付勢されている。これにより床板３が物品収納室２の物品出入口２０を閉鎖している状態において、図１６に示すように、ロック体８２のロック面８３と被ロック体７の被ロック面７１とが係合すると、床板３はベッド本体１から離脱できないようにロックされる。床板３がベッド本体１から離脱できないようにロックされている状態において、凹部３８０の窓開口３８ｔから指を挿入し、使用者が解除操作子８０をこれの軸芯Ｐ１回りでロック解除方向（矢印Ｒ２方向）に回動操作させると、解除操作子８０に接続された第１歯部８１がロック解除方向（矢印Ｒ２方向）に回動し、ロック体８２をロック解除方向（矢印Ｅ２方向）に後退させる。これによりロック体８２の先端部のロック面８３がロック体７の被ロック面７１から離脱するため、床板３のロックが解除され、床板３が持ち上げ可能つまり開放可能となる。
【００２７】
なお、使用者の指が解除操作子８０から離脱すれば、付勢バネ８６の付勢力によりロック体８２がロック方向（矢印Ｅ１方向）に自動的に移動する。上昇している床板３を下降させるとき、ロック体８２のガイド面８４が被ロック体７の被ガイド面７２に当たり、付勢バネ８６を弾性収縮させつつ、ロック体８２がロック解除方向（矢印Ｅ２方向）に後退する。このためロック体８２のロック面８３は被ロック体７を乗り越えることができる。その後、付勢バネ８６の付勢力によりロック体８２はロック方向（矢印Ｅ１方向）に自動的に前進するため、ロック体８２のロック面８３は被ロック体７の被ロック面７１に自動的にロックされる。平面視である図１に示すように、解除操作子８０をもつロック装置８は、平面視において、ベッド装置（ベッド本体１）の外観を区画する輪郭線を形成する外輪郭ＫＭよりも内側に配置されている。従って、ロック装置８の解除操作子８０は、ベッド本体１の内縁１ｉよりも内側に配置されている。このため使用者の意思に反して、ロック装置８の解除操作子８０に他の物体が当たることが防止されている。よって、ロック装置８のロックを解除する積極的ロック解除意思をもった使用者がロック装置８の解除操作子８０を操作しない限り、ロック装置８のロックが間違って解除されることが防止されている。殊に、図１６に示すように、床板３の内部に凹部３８０が形成されており、ロック解除を行う解除操作子８０は、床板３の揺動端３ｈに形成されている凹部３８０の内部において配置されて隠蔽されている。このため、ロック装置８の解除操作子８０が他の物体が当たって間違って操作されることが防止されている。ひいては、ロック装置８が誤ってロック解除されることが防止されている。更に、床板３の上面３１に載せられているマットレスＭＡにより、ロック装置８の解除操作子８０を更に隠蔽させることが可能となる。このため、ロック装置８のロックを解除する積極的ロック解除意思をもった使用者がロック装置８の解除操作子８０を操作しない限り、ロック装置８のロックが間違って解除されることが防止されている。なお、ロック装置８の解除操作子８０は回転操作式であるが、これに限らず直動スライド式とすることができる。
【００２８】
（実施例の主効果）
物品収納室２に物品を収納する場合に付いて説明を加える。図４〜図７は、床板３が物品収納室２の物品出入口２０が閉鎖している状態を示す。図４〜図７に示すように、ロック装置８のロック機能により、床板３は水平状態のままベッド本体１にロックされている。このためロック装置８によるロックを解除しない限り、床板３の揺動端３ｈを跳ね上げて開放させることができない。そこで、使用者はロック装置８の解除操作子８０を指で操作（回転操作）してロックを解除させる。図１６は、床体３を閉鎖させたまま、ロック体８２をロック解除方向に移動させてロック解除した状態を示す。使用者は床板３の揺動端３ｈを上方に持ち上げる。本実施例によれば、床板３の開放量が小開放（開放量Ｗ１，図８参照）となる位置となれば、この状態で、サイズが小さな物品であれば、その物品を物品出入口２０から物品収納室２に収納させることができる。第１ダンパシリンダ５５および第２ダンパシリンダ６５は前述したように絞り機能、ダンパ機能を有しているため、床板３の急激な落下が防止されており、安全性が高められている。
【００２９】
前述したように、床板３の開放量が小開放（開放量Ｗ１，図８参照）となるときには、物品収納室２内を乾燥させたり、ベッドメイキングしたりするのに有利である。従って使用者がベッド装置を長時間にわたり使用しないとき（例えば、起床直後から次に就寝するまでの間）、床板３の開放量が小開放（開放量Ｗ１，図８参照）のままに第３床板落下抑制機構５３により維持しておけば、その間に物品収納室２内を乾燥させることができる。上記したベッドメイキングの際には、敷布の折り返し部分をマットレスＭＡの下面ＭＡ１０（図１５参照）に巡らす作業、作業者の姿勢などを考慮すると、床板３に載っているマットレスＭＡの端部を、作業者が通常のベッド装置の高さ位置から持ち上げた方がベッドメイキングし易い利点がある。この場合、ベッドメイキングする作業者の腰部への負担も軽減される。従って本実施例のベッド装置は床板３を小開放（開放量Ｗ１，図８参照）に維持できるため、ベッドメイキングに適する。
【００３０】
本実施例によれば、第３床板落下抑制機構５３は、床板３の姿勢を小開放（開放量Ｗ１，図８参照）に保持するラッチ機能を有する。このため、床板３の開放量が小開放（開放量Ｗ１，図８参照）となる位置に、床板３の姿勢を保持することができる。この状態では、サイズが小さな物品であれば、その物品を物品出入口２０から物品収納室２に収納させることができる。更に、床板３を跳ね上げて床板３の開放量を更に増加させるときには、使用者は、床板３の揺動端３ｈ側を持ち上げて矢印Ｙ１方向に更に上昇させる。この場合にも、使用者は床板３の上面３１に取り付けられている上ハンドル３８Ｕを指で掴むと良い。このような床板３の持ち上げにつれて、前述したように、第１ダンパシリンダ５５の流体（ガスまたはオイル）が、流過抵抗を発生させつつ、第１絞り通路５６８を介して第１往路室５６５と第１復路室５６７との間において流動する。同様に、第２ダンパシリンダ６５の流体が、流過抵抗を発生させつつ、第２絞り通路６６８を介して第２往路室６６５と第２復路室６６７との間において流動する。これにより床板３の揺動端３ｈの急激な跳ね上がりが防止され、安全性が高められている。そして図９に示すように、床板３の揺動端３ｈが上方（矢印Ｙ１方向）に更に上昇するため、物品収納室２の物品出入口２０が更に開放される。このように床板３の開放量が大開放（開放量Ｗ２，図９参照）となる位置になれば、サイズが大きな物品（例えばスキー板等）であっても、その物品を物品出入口２０から物品収納室２に収納させることができる。この場合、図９に示すように、床板３の下面３３は第１作動アーム５９の上端部の転動ローラ５９ｒから離間して上方に位置している。床板３の開放量がＷ２のとき、第３床板落下抑制機構５３は、床板３をその姿勢に保持するラッチ機能を有する。このため、床板３の開放量が大開放（開放量Ｗ２）となる位置に、床板３の姿勢を保持することができる。この状態で、スキー板等のサイズが大きな物品であっても、その物品を物品出入口２０から物品収納室２に容易に収納させることができ、便利である。上記したように本実施例によれば、床板３の開放量をＷ１，Ｗ２と複数段階（２段階）に切り替えることができる。このため、物品収納室２の乾燥あるいはベッドメイキングに適する位置（開放量Ｗ１，図８参照）に床板３を開放させる形態（図８）としたり、サイズが大きな収納物品（例えばスキー板等）を物品出入口２０から物品収納室２に収納させる形態（図９）とに切り替えることができ、汎用性を高めることができる。
【００３１】
更に本実施例によれば、手で操作されて床板３を跳ね上げ方向に移動操作させる上ハンドル３８Ｕが、床板３のうちの跳ね上げ側の揺動端３ｈ側の上面３１に設けられている。このため、床板３の重量が重い場合であっても、床板３を跳ね上げ方向に移動させる手動操作が楽になる。更に、跳ね上げた床板３を跳ね上げ方向と反対方向に下降させる下ハンドル３８Ｄが、床板３のうちの跳ね上げ側の揺動端３ｈ側の下面３３に設けられている。このため力のない使用者（高齢者、障害者、女性等）であっても、床板３の開閉操作を簡便に行い得る。殊に本実施例によれば、跳ね上げられ床板３の急激な落下を防止する第１開閉速度抑制機構５１および第２開閉速度抑制機構５２が設けられている。第１開閉速度抑制機構５１の第１ダンパシリンダ５５、第２開閉速度抑制機構５２の第２ダンパシリンダ６５は、前述したように、流体（ガス、オイルなど）の流過抵抗に起因するダンパ機能を発揮するため、床板３の開閉速度が抑制されている。この場合、床板３を開閉させるにあたり、第１ダンパシリンダ５５および第２ダンパシリンダ６５における流体の流過抵抗に打ち勝つ力を床板３に与えることが必要とされる。このような条件の元であっても、床板３のうちの跳ね上げ側の揺動半径が大きい側における揺動端３ｈ側に上ハンドル３８Ｕおよび下ハンドル３８Ｄが装備されているため、手作業による床板３の開閉操作が楽になる。殊に、跳ね上げられた床板３の開放角度（図９に示す開放量Ｗ２）が大きい場合には、小柄な使用者は床板３に手が届きにくいため、床板３を下降させ辛いおそれがある。本実施例では、このようなときであっても、下ハンドル３８Ｄが床板３のうちの跳ね上げ側の揺動端３ｈ側の下面３３に設けられているため、床板３を下降させて閉じる手動操作が楽になる。
【００３２】
加えて本実施例によれば、解除操作子８０はベッド本体１の外輪郭ＫＭよりも内側に配置されている。このためベッド本体１の外方に存在する使用者の脚、あるいは、ベッド本体１の近傍を移動する他の物体がロック装置８の解除操作子８０に当たるおそれが低減される。故に、ロック装置８の解除操作子８０は、積極的なロック解除意思をもった使用者により操作され、解除操作子８０が予想外に操作されるおそれを低減させるのに有利である。換言すると、床板３は、床板３のうちマットレスＭＡ（寝具）を載せる上面３１（載置面）において開口する窓開口３８ｔをもつと共に床板３の上面３１と下面３３との間に形成された凹部３８０を備えており、ロック装置８の解除操作子８０は、窓開口３８ｔに臨みつつ床板３の凹部３８０の内部に配置されている。解除操作子８０は、ベッド本体１の外輪郭ＫＭよりも内側に配置されており、且つ、窓開口３８ｔに臨みつつ床板３の凹部３８０の内部に配置されている。このため、ベッド本体１の外方に存在する使用者の脚、あるいは、ベッド本体１の近傍を移動する他の物体がロック装置８の解除操作子８０に当たるおそれが低減される。故に、ロック装置８の解除操作子８０は積極的なロック解除意思をもった使用者により操作され、解除操作子８０が予想外に操作されるおそれを低減させるのに有利である。特に、床板３を跳ね上げを跳ね上げ方向に操作するスプリング力を発揮する流体シリンダ５５、６５がベッド本体１に設けられている場合であっても、マットレスＭＡが床板３に載置されていない場合、予想外に床板３が急激に跳ね上がるおそれが避けられる。
【００３３】
上記した長手補強成形品１２は押出成形または引抜成形で形成されており、底板１９を載せる副載置部１２６を長手補強成形品１２と一体に成形できる利点が得られる。更に長手補強成形品１２は高い曲げ剛性および高い強度を有するため、側面ボード１０自体の肉厚ＴＡ（図２参照）を薄くでき、側面ボード１０の薄型化を図り得、狭い室内にベッド装置を設置するのに有利となる。
【実施例２】
【００３４】
図１８は実施例２を示す。本実施例は実施例１と基本的には同様の構成、同様の作用効果を有する。共通する部位には共通の符号を付する。以下、異なる部分を中心として説明する。但し、ロック装置８Ｂは、回動式の解除操作子８０Ｂと、解除操作子８０Ｂの回転によりロック方向（矢印Ｅ１方向）に前進可能およびロック解除方向（矢印Ｅ２方向）に後退可能なロック体８２とをもつ。図１８に示すように、ロック体８２は中間リンク８２９により解除操作子８０に連結されている。ロック体８２は、引張バネである付勢バネ８６Ｂにより引張られてロック方向（矢印Ｅ１方向）に常時付勢されており、ロック体８２のロック体８２のロック面８３が被ロック体７の被ロック面７１にロックされている。この状態では、床板３はベッド本体１にロックされており、床板３を上方に開放させることができない。使用者が解除操作子８０Ｂをロック解除方向（矢印Ｒ２方向）に回動させると、ロック体８２がロック解除方向（矢印Ｅ２方向）に後退する。これによりロック体８２のロック体８２がロック体７が離脱するため、床板３のロックが解除され、床板３が跳ね上げ可能となる。なお、使用者の指等が解除操作子８０から離脱すれば、付勢バネ８６Ｂの付勢力によりロック体８２がロック方向（矢印Ｅ１方向）に自動的に前進し、ロック可能となる。
【実施例３】
【００３５】
図１９〜図２２は実施例３を示す。本実施例は実施例１と基本的には同様の構成、同様の作用効果を有する。共通する部位には共通の符号を付する。以下、異なる部分を中心として説明する。図２０に示すように、床板３のうちフットボード１７に近い揺動端３ｈ側には、指ＨＦを挿入できる指挿入溝３０（手動操作部）が形成されている。このため揺動半径が大きい揺動端３ｈの重量が低減され、揺動端３ｈを持ち上げるときのモーメントを少なくできる利点が得られる。更に揺動端３ｈは就寝者の頭部側ではなく脚側であるため、就寝者からの荷重負荷が少なく、凹状の指挿入溝３０を床板３の揺動端３ｈに形成しても支障がない。指挿入溝３０は、フットボード１７側の隙間４ｃ、凹部３８０、窓開口３８ｔに連通している。図１９に示すように、指挿入溝３０は、床板３のほぼ全幅に沿って幅方向（矢印ＤＥ方向）に延設されている。従って指挿入溝３０の長さはＬＷ（図１９参照）として示される。このため指挿入溝３０の長さ方向の一端３０ａに指を挿入して、床板３の跳ね上げおよび下降を操作しても良い。あるいは、指挿入溝３０の長さ方向の他端３０ｃに指を挿入して、床板３の跳ね上げおよび下降を操作しても良い。
【００３６】
図２０に示すように、ベッド本体１のうちフットボード１７には、被ロック体７が固定されている。床板３の揺動端３ｈ側に、被ロック体７にロック係合可能なロック装置８は取り付けられている。特に、ロック装置８は、床板３の揺動端３ｈ側において、床板３の幅方向（矢印ＤＥ方向）の中間域に取り付けられている（図１９）。図２０に示すように、床板３には、床板３の上面３１および下面３３を貫通させるように、床板３の内部に形成され窓開口３８ｔをもつ凹部３８０が形成されている。窓開口３８ｔは床板３の上面３１に開口していると共に、指挿入溝３０に連通している。ロック装置８は、床板３の凹部３８０に配置された回動式の解除操作子８０と、被ロック体７にロック係合され且つ解除操作子８０の回転操作によりロック解除されるロック体８２と、解除操作子８０を回転操作させるために解除操作子８０から径外方向に突出すると共に凹部３８０内に位置するハンドル状の手動操作部８９とをもつ。図２２から理解できるように、床板３の上面３１に開口している窓開口３８ｔに指を挿入して手動操作部８９を操作させて解除操作子８０を軸芯Ｐ１回りでロック解除方向に回転操作させれば、ロック装置８によるロックを解除することができる。図２２に示すように、手動操作部８９は床板３の内部に収納されつつも、床板３の窓開口３８ｔに対面している。このため、手動操作部８９は、床板３の上面３１側から指により操作可能とされている。故に、手動操作部８９は、ロック装置８によるロックを解除する機能と、床板３を跳ね上げるときに使用されるハンドル機能とを併有する。
【００３７】
また、図２０に示すように、使用者の指ＨＦを床板３の揺動端３ｈの指挿入溝３０に挿入すれば、床板３の揺動端３ｈ側を持ち上げて跳ね上げて開放させたり、床板３の揺動端３ｈ側を下降させて閉鎖させたりできる。このため指挿入溝３０は、床板３の揺動端３ｈを昇降させる跳ね上げ操作部として機能できる。このような指挿入溝３０が設けられていれば、実施例１において搭載されていた下ハンドル３８Ｄを廃止することができる。指挿入溝３０は前述したように床板３のほぼ全幅に延設されているため、左右腕のうちの一方が不自由な使用者にも操作し易い。
【００３８】
床板３が水平状態されて物品収納室２の物品出入口２０を閉鎖している状態において、床板３は、ベッド本体１に対して上昇開放できないように、ベッド本体１のフットボード１７にロックされている。この状態において、図２０に示すように、床板３を上方（矢印Ｙ１方向）に持ち上げるとき、床板３の短辺部３６の外縁３ｋとベッド装置のフットボード１７の内縁１ｉとの間に形成されている隙間幅ｔ２をもつ隙間４（４ｃ）が形成されている。このため床板３の揺動端３ｈを跳ね上げるとき、図２０に示すように、この隙間４（４ｃ）から使用者は指ＨＦ（図２０参照）を挿入し、床板３の揺動端３ｈを上方（矢印Ｙ１方向）に跳ね上げることができる。上記した床板３のロックを解除するときには、図２０に示すように、隙間４から挿入した指ＨＦを指挿入溝３０に挿入すれば、指ＨＦをロック装置８の手動操作部８９に届かせることができ、手動操作部８９を回転操作させて解除操作子８０を軸芯Ｐ１回りで回転させ、ロック装置８のロックを解除することもできる。
【００３９】
換言すると、ロック装置８の解除操作子８０は、床板３の指挿入溝３０から挿入した指ＨＦにより操作可能とされている。解除操作子８０は、ベッド本体１の外輪郭ＫＭよりも内側に配置されており、且つ、床板３の指挿入溝３０から挿入した指ＨＦにより操作可能とされている。故に、ロック装置８の解除操作子８０が予想外に回転操作されるおそれを低減させることができる。故に、ロック装置８の解除操作子８０は積極的なロック解除意思をもった使用者により操作されることになり、解除操作子８０が予想外に操作されるおそれを低減させるのに有利である。上記した隙間幅ｔ２は、指ＨＦを挟まないように指ＨＦの厚みよりも大きく設定されており、２５ミリメートル以上、３０ミリメートル以上に設定されている。なお、図１９に示すように、ベッド本体１の側面ボード１０には、ベッド装置の幅方向に沿って形成された開放口１００ｓが形成されている。開放口１００ｓは長手補強成形品１２の上端部および化粧部材１４の上端部に形成されており、外方ＫＮと溝４（４ａ）とを連通させている。仮に溝４（４ａ）に塵等が溜まったとき、開放口１００ｓを利用して塵などを排出できる。
【実施例４】
【００４０】
図２３〜図２５は実施例４を示す。本実施例は実施例１と基本的には同様の構成、同様の作用効果を有する。共通する部位には共通の符号を付する。以下、異なる部分を中心として説明する。図２３に示すように、床板落下抑制機構５は、第２開閉速度抑制機構５２と、床板３の跳ね上げ姿勢を保持する第３床板落下抑制機構５３とを有する。第２開閉速度抑制機構５２は、ダンパ機能をもつ第２ダンパシリンダ６５を有する。第２ダンパシリンダ６５は、第２筒体６６と、第２筒体６６にスライド可能に嵌合された第２ピストンロッド６７とをもつ。第２筒体６６は、床板３の下面３３に設けられた第１連結部材５３５にピン６６ｐにより上下方向に揺動可能に枢支されている。長手補強成形品１２には溶接等の固定手段で補強部材１２０ｃが固定されている。補強部材１２０ｃに第２ピストンロッド６７の下端部はピン６７ｐにより揺動可能に枢支されている。
【００４１】
図２４および図２５に示すように、第２筒体６６は、第２シリンダ室６６１と、第２シリンダ室６６１を閉じる第２蓋部６６２とを有する。第２ピストンロッド６７は、第２シリンダ室６６１を移動可能な第２ピストン６７１と、第２筒体６６との間をシールするリング状の第２シール部６７３とをもつ。第２ピストン６７１は、第２筒体６６の第２シリンダ室６６１を第２往路室６６５および第２復路室６６７に仕切ると共に、第２往路室６６５および第２復路６６７を連通するオリフィス状をなす絞り機能をもつ第２絞り通路６６８と、第２絞り通路６６８を開閉させる弁６８３と、弁６８３の開閉を行う作動子として機能する作動ワイヤ６８４とを有する。作動ワイヤ６８４は、第２ピストンロッド６７の内部に形成されている通孔６７ｍに進退可能に挿入されている。図２４および図２５に示すように、作動ワイヤ６８４の一端部６８４ａは弁６８３に接続されている。作動ワイヤ６８４の他端部は使用者が操作される部位に延設されている（図示せず）。使用者が作動ワイヤ６８４を操作してその長さ方向（矢印ＦＭ方向、第２ダンパシリンダ６５の流体ロック方向）に引っ張れば、弁６８３は第２絞り通路６６８を閉鎖するため、流体（ガスまたはオイル）が第２絞り通路６６８を流れることが制限され、流体ロックされる。この場合、第２往路室６６５および第２復路室６６７における流体の流動が制限されるため、第２ピストンロッド６７の前進位置はその位置でロックされ、第２ダンパシリンダ６５のスライド位置はロックされる。従って床板３が適宜の開放位置になったとき、作動ワイヤ６８４の他端部をその長さ方向（矢印方向ＦＭ方向）に引っ張って移動させれば、弁６８３により第２絞り通路６６８を閉鎖できるため、第２ピストンロッド６７をその位置で流体ロックすることができ、ひいては第２ダンパシリンダ６５内における流体の流れをロックすることができ、床板３をその跳ね上げ位置（開放位置）でロックすることができる。
【実施例５】
【００４２】
図２６は実施例５を示す。本実施例は実施例１と基本的には同様の構成、同様の作用効果を有する。共通する部位には共通の符号を付する。以下、異なる部分を中心として説明する。床板３の第３連結部材５３４は、枢支軸５３４ｘを介して揺動可能に長手補強成形品１２に枢支されている。床板落下抑制機構５は、床板３の上昇量が相対的に少ない小開口用の第１開閉速度抑制機構５１と、床板３の上昇量が相対的に多い大開口用の第２開閉速度抑制機構５２とを有する。第１開閉速度抑制機構５１は、第１ダンパシリンダ５５と、第１ダンパシリンダ５５に連動する第１作動アーム５９とを有する。第１ダンパシリンダ５５は、第１筒体５６と、第１筒体５６に嵌合された第１ピストンロッド５７とをもち、作動ワイヤの操作により、図２４に示すような流体の通過を遮断させる流体ロック機能をもつ。このような流体ロックが実現されているときには、第１ダンパシリンダ５５の流体の流れが抑止されており、第１ダンパシリンダ５５および第１ピストンロッド５７は互いに相対変位が抑止されているため、床板３をその開放位置に維持できる利点をもつ。従って第１開閉速度抑制機構５１の第１ダンパシリンダ５５は、跳ね上げた床板３の開放量を小さくする小開放位置に床板３を維持する小開放用の落下抑制部として機能することができる。
【００４３】
第２開閉速度抑制機構５２は第２ダンパシリンダ６５を有する。第２ダンパシリンダ６５は、第２筒体６６と、第２筒体６６に嵌合された第２ピストンロッド６７とをもち、作動ワイヤの操作により、図２４に示すような流体の通過を遮断させる流体ロック機能をもつ。このような流体ロックが実現されているときには、第２ダンパシリンダ６５および第２ピストンロッド６７は互いに相対変位が抑止されているため、床板３をその開放位置に維持できる利点をもつ。従って第２開閉速度抑制機構５２の第２ダンパシリンダ６５は、跳ね上げた床板３の開放量を大きくする大開放位置に床板３を維持する大開放用の落下抑制部として機能することができる。前述したように、第１ダンパシリンダ５５および第２ダンパシリンダ６５は流体ロック機能を有する他に、流体（ガスまたはオイル）を流過抵抗を発生させつつ通過させるため、流体ロックされていないときには絞り機能およびダンパ機能を有する。このため流体ロックされていないときには第１ダンパシリンダ５５の第１ピストンロッド５７の動作および第２ダンパシリンダの第２ピストンロッド６７の動作は、ゆっくりである。このため床板３の開閉速度を低速化でき、床板３が開放して物品出入口２０を開放させているとき、物品を物品収納室２に出し入れする時間程度は、床板３をその開放位置にほぼ維持することができる。
【実施例６】
【００４４】
図２７は実施例６を示す。本実施例は実施例１と基本的には同様の構成、同様の作用効果を有する。共通する部位には共通の符号を付する。以下、異なる部分を中心として説明する。図２７に示すように、ベッド本体１の側面ボード１０は、床板３を載せて保持すると共にベッド本体１の長さ方向に沿って延設された床板載置体としての長手補強成形品１２と、長手補強成形品１２の外面に接着剤または螺子止め等により接合された板状をなす木製の化粧部材１４とをもつ。長手補強成形品１２は、ベッド装置に就寝するベッド本体１の長さ方向に沿って金属の素材を、押出ダイスにより押出成形または引抜ダイスにより引抜成形して形成されている。図２７に示すように、中空室１２１は長手補強成形品１２の長さ方向に沿って延設されており、薬剤９０を収納する。図２７に示すように、主載置部１２２は、中空室１２１に薬剤９０を出し入れするための出入用開口１３１を有する。床板３が物品収納室２の物品出入口２０を閉鎖するとき、床板３の下面３３は出入用開口１３１を閉鎖する。長手補強成形品１２の主載置部１２２は、中空室１２１と物品収納室２とを連通させる第１連通路１３３と、床板３の上方空間３１ｕと中空室１２１とを連通させる第２連通路１３５とをもつ。薬剤９０は芳香剤、脱臭剤、乾燥剤等が例示される。収納条件によっては、物品収納室２の内部は湿気や臭い等をもつことがある。薬剤９０を長手補強成形品１２の中空室１２１（薬剤収納空間）に収納しておけば、湿気や臭い等に良好に対処できる。床板３の上方空間３１ｕと中空室１２１とを連通させる第２連通路１３５が形成されているため、薬剤９０の効能を床板３の上方空間３１ｕ側、即ちマットレスＭＡ側にも供給することができる。故に、湿気を帯びやすいマットレスＭＡ（寝具）の芳香化、脱臭化、乾燥化に有利である。
【実施例７】
【００４５】
図２８は実施例７を示す。本実施例は実施例１と基本的には同様の構成、同様の作用効果を有する。共通する部位には共通の符号を付する。以下、異なる部分を中心として説明する。図２８に示すように、ベッド本体１の側面ボード１０は、床板３を載せて保持すると共にベッド本体１の長さ方向に沿って延設された長手補強成形品１２Ｂと、長手補強成形品１２Ｂの外面に接着剤または螺子止め等の固定手段により接合された板状をなす化粧部材１４Ｂとをもつ。長手補強成形品１２Ｂは、金属素材を長さ方向に沿って圧延ロール等の圧延手段により圧延成形して形成されている。圧延成形により、長手補強成形品１２Ｂの金属組織の流線は長さ方向に沿って延設されており、曲げ剛性が高められている。長手補強成形品１２Ｂは押出成形または引抜成形で成形しても良い。
【００４６】
図２８に示すように、主載置部１２２Ｂは板状をなしており、中空室を有していない。長手補強成形品１２Ｂが炭素鋼系または合金鋼系である場合には、長手補強成形品１２Ｂ（特に長手補強成形品１２Ｂの根元部１２９Ｂ）は、硬化処理（強化処理）として焼入処理されて強化されている。なお硬化部分を×印として示す。焼入処理としては、焼き入れが要請される部分を誘導加熱で焼き入れ温度以上に加熱した後に水等の冷媒で急冷させることができる。更に、焼き入れ温度を超える高温に加熱された長手補強成形品１２Ｂを金型の成形型面で加圧成形（例えば曲げ成形、矯正成形）しつつ急冷させるダイクエンチでも良い。ダイクエンチであれば、長手補強成形品１２Ｂの反りが抑えられる。長手補強成形品１２Ｂがアルミニウム合金系である場合には、長手補強成形品１２は、硬化処理としてＴ５処理またはＴ６処理されている。図２８に示すように、意匠性を高めた意匠面１４０Ｂをもつ化粧部材１４Ｂは木材または樹脂で形成されており、外気に連通する窓開口１４９をもつ。長手補強成形品１２Ｂの縦柱部１２４の厚みＴ１（図２８）は、厚肉化されている。長手補強成形品１２Ｂの縦柱部１２４は、化粧部材１４Ｂの窓１４９を介して物品収納室２と外気とを連通させる複数または単数の貫通孔１３９を有する。貫通孔１３９は、長手補強成形品１２Ｂを成形した後に長手補強成形品１２Ｂの厚み方向に沿って形成されている。物品収納室２に湿気や臭いが発生している場合であっても、貫通孔１３９によりその湿気や臭いを外気に排出させるのに有利である。長手補強成形品１２Ｂの縦柱部１２４は強度を有するため、貫通孔１３９を形成しても支障がない。
【実施例８】
【００４７】
図２９は実施例８を示す。本実施例は実施例１と基本的には同様の構成、同様の作用効果を有する。共通する部位には共通の符号を付する。以下、異なる部分を中心として説明する。長手補強成形品１２Ｃは、炭素鋼またはアルミニウム合金等の金属板をプレス成形することにより曲成されベッド装置の長さ方向に延びるプレス成形品１２０Ｃと、プレス成形品１２０Ｃの内面１２５Ｃに溶接部１２６ｍで結合された主載置部１２２Ｃとを備えている。プレス成形品１２０Ｃは、高さ方向（矢印ＨＷ方向）に延びる縦柱部１２４と、底板１９を載せる副載置部１２６とをもつ。主載置部１２２Ｃは、炭素鋼またはアルミニウム合金等の金属で形成されたパイプ体で形成されており、中空室１２１を有しており、長手補強成形品１２の長さ方向に沿って長尺状に延設されている。主載置部１２２Ｃは、床板３の下面３３に対面可能な上壁部１２７と下壁部１２８と内壁部１２９とを備えている。上記したパイプ体は長尺な角パイプで形成されている。
【００４８】
化粧部材１４Ｃは木材または樹脂で形成されており、薬剤９０を収納すると共に外方開放可能な収納空間１４５と、収納空間１４５を開閉する操作摘み１４６をもつ開閉蓋１４７とをもつ。縦柱部１２４は貫通孔１３９Ｂを有する。貫通孔１３９Ｂは、化粧部材１４Ｃの収納空間１４５と物品収納室２とを連通させる。物品収納室２の内部は湿気や臭い等を有することがある。薬剤９０を長手補強成形品１２Ｃの中空室１２１に収納しておけば、湿気や臭い等に良好に対処できる。薬剤９０は芳香剤、脱臭剤、乾燥剤等が例示される。
【実施例９】
【００４９】
図３０は実施例９を示す。本実施例は実施例１と基本的には同様の構成、同様の作用効果を有する。共通する部位には共通の符号を付する。以下、異なる部分を中心として説明する。図３０に示すように、ベッド本体１の側面ボード１０は、床板３を載せて保持すると共にベッド本体１の長さ方向に沿って延設された長手補強成形品１２Ｄを備えている。長手補強成形品１２Ｄの外面のうち肉眼で視認される部分には、意匠的効果を有する化粧部材として機能する樹脂を基材とする膜状をなす化粧部材としての化粧被膜１４ｘが被覆されている。主載置部１２２は、中空室１２１に配置されている薬剤９０を物品収納室２に供給する第１連通路１３３Ａと、第１連通路１３３Ｂと、中空室１２１に配置されている薬剤９０を床板３の上方空間３１ｕに供給する第２連通路１３５とをもつ。
【００５０】
長手補強成形品１２Ｄに形成されている中空室１２１は、長手補強成形品１２の長さ方向に沿って延設されており、薬剤９０を収納している。更に長手補強成形品１２のうち主載置部１２２には、物品収納室２の内部を照明するＬＥＤ等の照明灯７８（電気機器）が取り付けられている。照明灯７８の配線７９は中空室１２１に沿って中空室１２１の内部に配設されており、第１連通路１３３Ｂを通り、照明灯７８に接続されている。従って、中空室１２１は、配線７９を通す配線通路として機能できる。照明灯７８は、床板３を跳ね上げると自動点灯させても良いし、スイッチにより点灯させても良い。照明灯７８は縦柱部１２４に対面しているため、照明灯７８からの光は長手補強成形品１２Ｄの縦柱部１２４の反射面１２４ｍで反射するため、物品収納室２における照度を高めることができる。反射面１２４ｍは鏡面または疑似鏡面にできる。
【実施例１０】
【００５１】
図３１は実施例１０を示す。本実施例は実施例１と基本的には同様の構成、同様の作用効果を有する。共通する部位には共通の符号を付する。以下、異なる部分を中心として説明する。ベッド本体１の側面ボード１０は、床板３を載せて保持すると共にベッド本体１の長さ方向に沿って延設されたハニカム構造の長手補強成形品１２Ｆをもつ。長手補強成形品１２Ｆはハニカム構造をもつため、軽量化を図りつつ曲げ剛性および強度が確保されている。長手補強成形品１２Ｆは、金属の素材をベッド本体１の長さ方向に沿って押出ダイスにより押出成形、あるいは、引抜ダイスにより引抜成形して形成されている。図３１に示すように、長手補強成形品１２Ｆは、凹状部としての中空室１２１をもつ主載置部１２２と、主載置部１２２に繋がる縦柱部１２４と、縦柱部１２４の下端部に繋がる板状をなす副載置部１２６とを備えている。縦柱部１２４には、複数の第２中空室１２１Ｆが縦方向に沿って延設されている。よって縦柱部１２４はハニカム構造とされている。長手補強成形品１２Ｆは、後加工されていない限り、長さ方向に沿って基本的には同一断面形状を有する。長手補強成形品１２Ｆは金属製であり、木材等に比較して伝熱性が良好であり、材質または構造等によっては、就寝者側の熱や床板３側の熱を長手補強成形品１２Ｆが奪うおそれがある。そこで長手補強成形品１２Ｆ（特に長手補強成形品１２Ｆの主載置部１２２）には電気式のヒータ９９（電気機器）が設けられている。ヒータ９９が発熱すれば、熱伝導性をもつ長手補強成形品１２Ｆが暖められるため、冬季等における睡眠の快適性を高めることができる。ヒータ９９は就寝者の脚側に設けることが好ましい。ヒータ９９の加熱により床板３の水分や湿気を除くこともできる。なお、ヒータ９９の給電線９１は、長手補強成形品１２Ｆの中空室１２１の内部を通しても良い。これに限らず、給電線９１は他の部位を沿わせても良い。
【実施例１１】
【００５２】
図３２は実施例１１を示す。本実施例は実施例１と基本的には同様の構成、同様の作用効果を有する。共通する部位には共通の符号を付する。以下、異なる部分を中心として説明する。図３２に示すように、長手補強成形品１２Ｆの主載置部１２２の中空室１２１は補強リブ１２１ｈにより仕切られている。このように主載置部１２２は強化されており、床板３からの荷重負荷が大きなダブルベッドに適する。長手補強成形品１２Ｆが鉄系である場合には、主載置部１２２を部分的に焼き入れして更に強化しても良い。長手補強成形品１２Ｆの縦柱部１２４には、第２中空室１２１Ｆを介して外気に連通する換気用の貫通孔１３９Ｆが形成されている。貫通孔１３９Ｆは、縦柱部１２４の第２中空室１２１Ｆを介して物品収納室２と外気とを連通させる。この場合、物品収納室２の過剰湿気を抑えるのに有利である。長手補強成形品１２Ｆの外面には、外観意匠を向上させるための突起状意匠部１２ｙ（化粧部材）が形成されている。凹状の意匠部としても良い。
【実施例１２】
【００５３】
図３３および図３４は実施例１２を示す。本実施例は実施例１と基本的には同様の構成、同様の作用効果を有する。共通する部位には共通の符号を付する。以下、異なる部分を中心として説明する。図３３に示すように、長手補強成形品１２は、硬化処理可能な金属の素材をベッド本体１の長さ方向に沿って押出ダイスまたは引抜ダイスにより熱間状態で押出成形または引抜成形した後に、硬化処理して形成されており、曲げ剛性および強度が一層高められている。長手補強成形品１２の一層の薄肉化および軽量化を図り得る。長手補強成形品１２が炭素鋼系または合金鋼系である場合には、長手補強成形品１２Ｈは、硬化処理として焼入処理されている。長手補強成形品１２がアルミニウム合金系である場合には、長手補強成形品１２は、硬化処理としてＴ５処理またはＴ６処理されている。なお硬化部分を×印として示す。更に図３４に示すように、金属製の長手補強成形品１２の中空室１２１の内部を温調風器９４に連通させている。温調風器９４は、暖かい温調風を発生させるものであり、冷え症の就寝者の脚を暖め易いように、中空室１２１に嵌合する連通具９４ｍを介してフットボード１７側に配置されている。但しヘッドボード１６側に配置しても良い。温調風器９４はヒータ部９５と送風部９６とをもつ。長手補強成形品１２Ｈは、床板３側に連通する温調風吹出口１２１ｘをもつ。睡眠時に温調風器９４を作動させて温調風を中空室１２１の内部に通風すれば、熱伝導率が良好な金属で形成されている長手補強成形品１２を温調風で効果的に暖めることができると共に、温調風吹出口１２１ｘから暖かい温調風を就寝者側に吹き出すことができる。故に、冬季等における睡眠の快適性を高めることができる。副載置部１２６は長手補強成形品１２に溶接で結合させても良い。なお温調風器９４は、夏季等に適するように、冷たい温調風を発生させるものでも良い。
【実施例１３】
【００５４】
図３５は実施例１３を示す。本実施例は実施例１と基本的には同様の構成、同様の作用効果を有する。共通する部位には共通の符号を付する。以下、異なる部分を中心として説明する。床板３は、これの揺動中心域３ｃに設けられた枢支軸３００ｔを介して長手補強成形品１２に上下方向に揺動可能に枢支されている。床板落下抑制機構５Ｅは、枢支軸３００ｔに同軸的に固定され全周にわたり多数形成された外歯状のラチェット歯３００ｒ（被係合部）を有する歯車３００ｓと、ラチェット歯３００ｒに付勢要素としてのバネ３００ｐにより係脱可能に係合される係合部としての係合爪３００ｗと、案内部３００ａに掛けられ係合爪３００ｗの係合を解除するワイヤ等の条体３００ｘとを備えている。床板３を跳ね上げるとき、使用者がワイヤ等の条体３００ｘを離脱方向（矢印Ｘ１方向）に操作して係合爪３００ｗを係合解除方向に引っ張る。すると、ラチェット歯３００ｒと係合爪３００ｗとの係合が離脱する。このため床板３は跳ね上げ可能となる。条体３００ｘの引張操作を解除すると、ラチェット歯３００ｒにバネ３００ｐの付勢力により係合爪３００ｗが係脱可能に自動的に係合される。故に、ラチェット歯３００ｒの回転が停止され、床板３の跳ね上げ位置がその位置で保持する。このような構造をもつ床板落下抑制機構５Ｅは、跳ね上げた床板３を多数段階の開放位置に維持することができる。歯車３００ｓの全周にラチェット歯３００ｒが形成されている。ラチェット歯３００ｒの周方向における一部は、跳ね上げた床板３の開放量を大きくする大開放位置に床板３を維持する大開放用の落下抑制部として機能することができる。また、ラチェット歯３００ｒの他の部分は、跳ね上げた床板３の開放量を小開放位置に床板３を維持する小開放用の落下抑制部として機能することができる。
【００５５】
（その他）
本発明は上記し且つ図面に示した実施例のみに限定されるものではなく、要旨を逸脱しない範囲内で適宜変更して実施できる。上ハンドル３８Ｕおよび下ハンドル３８Ｄを廃止しても良い。解除操作子８０をもつロック装置８は、床板３の揺動端３ｈの幅方向の中央域に設けられているが、これに限らず、床板３の揺動端３ｈの幅方向の端域に設けることにしても良い。被ロック体７もこの位置に対応させる。ロック装置８を廃止することもできる。長手補強成形品１２の断面形状は、上記した実施例に限定されるものではなく適宜選択でき、中空構造でも、中実構造でも良い。副載置部１２６は長手補強成形品１２に溶接で結合しても良い。長手補強成形品１２の少なくとも一部に硬化処理しておくことが好ましい。床板落下抑制機構５は第１開閉速度抑制機構５１と第２開閉速度抑制機構５２と第３床板落下抑制機構５３とを備えているが、第１開閉速度抑制機構５１、第２開閉速度抑制機構５２を廃止しても良い。長手補強成形品は、エンジニアプラスチック等の硬質樹脂または繊維強化樹脂の押出成形または引抜成形で形成されていても良い。ベッド装置はシングルベッドでも良いし、ダブルベッドでも良い。ベッド装置の長さ方向の中間を仕切る補強用架橋ビームを物品収納室２に設けても良い。この場合、スキー板等の長さが長い物品の収納性は低下するものの、ベッド装置の剛性を高めるのに一層有利である。一つの実施例に採用されている特有の構造または機能は、他の実施例にも適用することができる。例えば全ての実施例にヒータ、照明灯等の電気機器を付設しても良い。
【００５６】
上記した記載から次の技術的思想を把握できる。
【産業上の利用可能性】
【００５７】
本発明は一般家庭、旅館、ホテル、ウィークリーマンション、寮、介護センター、病院、船体、車両等に使用されるベッド装置に利用できる。
【図面の簡単な説明】
【００５８】
【図１】実施例１に係り、床板が閉鎖されているベッド装置の平面図である。
【図２】実施例１に係り、ベッド装置に取り付けられている長手補強成形品に床板を載置している状態を示す断面図である。
【図３】実施例１に係り、長手補強成形品をこれの長さ方向に沿って切断した状態を示す断面図である。
【図４】実施例１に係り、ベッド装置に取り付けられている長手補強成形品に床板を載置している状態を横断方向に切断して示す断面図である。
【図５】実施例１に係り、ベッド装置に取り付けられている長手補強成形品に床板を載置している状態を異なる部位で横断方向に切断して示す断面図である。
【図６】実施例１に係り、ベッド装置に取り付けられている長手補強成形品に床板を載置している状態を更に異なる部位で横断方向に切断して示す断面図である。
【図７】実施例１に係り、ベッド装置に取り付けられている長手補強成形品に床板を載置している状態を内側から視認して示す断面図である。
【図８】実施例１に係り、ベッド装置に取り付けられている床板が開放量小で開放されている状態を内側から視認して示す断面図である。
【図９】実施例１に係り、ベッド装置に取り付けられている床板が開放量大で開放されている状態を内側から視認して示す断面図である。
【図１０】実施例１に係り、第１ダンパシリンダの要部を示す断面図である。
【図１１】実施例１に係り、二台並設したベッド装置に取り付けられている長手補強成形品に床板を載置している状態を横断方向に切断して示す断面図である。
【図１２】比較例に係り、二台並設したベッド装置を横断方向に切断して示す断面図である。
【図１３】実施例１に係り、第３落下抑制機構のラッチ機能を説明する構成図である。
【図１４】実施例１に係り、床板に取り付けられている上ハンドルおよび下ハンドル付近を示す図である。
【図１５】実施例１に係り、床板に取り付けられているロック装置をベッド本体の被ロック体にロックしている状態を示す図である。
【図１６】実施例１に係り、床板に取り付けられているロック装置をベッド本体の被ロック体からロック解除している状態を示す図である。
【図１７】実施例１に係り、ロック装置の構造を模式的に示す図である。
【図１８】実施例２に係り、ロック装置の構造を模式的に示す図である。
【図１９】実施例３に係り、床板が閉鎖されているベッド装置を示す平面図である。
【図２０】実施例３に係り、床板に取り付けられているロック装置をベッド本体の被ロック体にロックしている状態を示す図である。
【図２１】実施例３に係り、床板に形成されている指挿入溝付近を示す図である。
【図２２】実施例３に係り、床板に取り付けられている指挿入溝付近を示す斜視図である。
【図２３】実施例４に係り、ベッド装置に取り付けられている床板が開放量大で開放されている状態を内側から視認して示す図である。
【図２４】実施例４に係り、第１ダンパシリンダの弁を閉鎖している状態を示す断面図である。
【図２５】実施例４に係り、第１ダンパシリンダの弁を開放している状態を示す断面図である。
【図２６】実施例５に係り、ベッド装置に取り付けられている床板が開放量大で開放されている状態を内側から視認して示す図である。
【図２７】実施例６に係り、ベッド装置の長手補強成形品に床板を載置している状態を示す断面図である。
【図２８】実施例７に係り、ベッド装置の長手補強成形品に床板を載置している状態を示す断面図である。
【図２９】実施例８に係り、ベッド装置の長手補強成形品に床板を載置している状態を示す断面図である。
【図３０】実施例９に係り、ベッド装置の長手補強成形品に床板を載置している状態を示す断面図である。
【図３１】実施例１０に係り、ベッド装置の長手補強成形品に床板を載置している状態を示す断面図である。
【図３２】実施例１１に係り、ベッド装置の長手補強成形品に床板を載置している状態を示す断面図である。
【図３３】実施例１２に係り、ベッド装置の長手補強成形品に床板を載置している状態を示す断面図である。
【図３４】実施例１２に係り、ベッド装置の長手補強成形品に温調風器を搭載している状態を示す断面図である。
【図３５】実施例１３に係り、ベッド装置の床板落下抑制機構を示す図である。
【符号の説明】
【００５９】
１はベッド本体、１０は側面ボード、１２は長手補強成形品（床板載置体）、１３９は貫通孔、１４は化粧部材、１５は端ボード、１６はヘッドボード、１７はフットボード、２は物品収納室、２０は物品出入口、３は床板、３ｋは外縁、３ｈは揺動端（端部）、３０は指挿入溝（手動操作部）、３１は上面、３３は下面、３８は手動操作部、３８Ｕは上ハンドル（跳ね上げ用の手動操作部）、３８Ｄは下ハンドル（下降用の手動操作部）、３８０は凹部、１２１は中空室、４は隙間、５は床板落下抑制機構、５１は第１開閉速度抑制機構、５２は第２開閉速度抑制機構、５３は第３床板落下抑制機構、５５は第１ダンパシリンダ、５３１ａは係合ピン（係合部）、５３８ａは第１被係合部、５３８ｃは第２被係合部、７は被ロック体、７１は被ロック面、７２は被ガイド面、７８は照明灯（電気機器）、８はロック装置、８０は解除操作子、８２はロック体、８３はロック面、８４はガイド面、ＭＡはマットレス（寝具）を示す。
【図１】
2008173400.tif 000003
【図２】
2008173400.tif 000004
【図３】
2008173400.tif 000005
【図４】
2008173400.tif 000006
【図５】
2008173400.tif 000007
【図６】
2008173400.tif 000008
【図７】
2008173400.tif 000009
【図８】
2008173400.tif 000010
【図９】
2008173400.tif 000011
【図１０】
2008173400.tif 000012
【図１１】
2008173400.tif 000013
【図１２】
2008173400.tif 000014
【図１３】
2008173400.tif 000015
【図１４】
2008173400.tif 000016
【図１５】
2008173400.tif 000017
【図１６】
2008173400.tif 000018
【図１７】
2008173400.tif 000019
【図１８】
2008173400.tif 000020
【図１９】
2008173400.tif 000021
【図２０】
2008173400.tif 000022
【図２１】
2008173400.tif 000023
【図２２】
2008173400.tif 000024
【図２３】
2008173400.tif 000025
【図２４】
2008173400.tif 000026
【図２５】
2008173400.tif 000027
【図２６】
2008173400.tif 000028
【図２７】
2008173400.tif 000029
【図２８】
2008173400.tif 000030
【図２９】
2008173400.tif 000031
【図３０】
2008173400.tif 000032
【図３１】
2008173400.tif 000033
【図３２】
2008173400.tif 000034
【図３３】
2008173400.tif 000035
【図３４】
2008173400.tif 000036
【図３５】
2008173400.tif 000037